【手続補正書】
【提出日】平成21年10月6日(2009.10.6)
【手続補正１】
【補正対象書類名】特許請求の範囲
【補正対象項目名】請求項４
【補正方法】変更
【補正の内容】
【請求項４】
前記補正部は、前記発光素子に前記検定電流を流したときに該発光素子が初期特性を有しているときの初期輝度に対する輝度の比率を示す発光効率と、該発光素子に前記検定電流を流したときの該発光素子の両端間の電圧との関係を予め記憶しておく記憶回路と、前記記憶回路に記憶された、前記発光効率と前記発光素子の両端間の電圧との関係に基づき、前記電圧測定回路によって測定した前記検定電圧に対応する前記発光効率の値を抽出する発光効率抽出部と、を有し、
前記駆動信号を、前記発光効率抽出部が抽出した前記発光効率に基づいて補正することを特徴とする請求項３に記載の表示駆置。
【手続補正２】
【補正対象書類名】特許請求の範囲
【補正対象項目名】請求項８
【補正方法】変更
【補正の内容】
【請求項８】
前記検定電流を流すステップにおいて、前記選択状態とされた前記表示パネルの何れかの１行の前記各画素の前記発光素子に前記検定電流を同時に流し、
前記検定電圧を測定するステップにおいて、前記表示パネルの当該１行に配列された前記各画素の前記検定電圧の測定を並行して実行することを特徴とする請求項６又は７に記載の表示装置の駆動制御方法。
【手続補正３】
【補正対象書類名】明細書
【補正対象項目名】００１３
【補正方法】変更
【補正の内容】
【００１３】
前記補正部は、前記発光素子に前記検定電流を流したときに該発光素子が初期特性を有しているときの初期輝度に対する輝度の比率を示す発光効率と、該発光素子に前記検定電流を流したときの該発光素子の両端間の電圧との関係を予め記憶しておく記憶回路と、前記記憶回路に記憶された、前記発光効率と前記発光素子の両端間の電圧との関係に基づき、前記電圧測定回路によって測定した前記検定電圧に対応する前記発光効率の値を抽出する発光効率抽出部と、を有し、
前記駆動信号を、前記発光効率抽出部が抽出した前記発光効率に基づいて補正するようにしてもよい。
【手続補正４】
【補正対象書類名】明細書
【補正対象項目名】００１７
【補正方法】変更
【補正の内容】
【００１７】
前記検定電流を流すステップにおいて、前記選択状態とされた前記表示パネルの何れかの１行の前記各画素の前記発光素子に前記検定電流を同時に流し、
前記検定電圧を測定するステップにおいて、前記表示パネルの当該１行に配列された前記各画素の前記検定電圧の測定を並行して実行するようにしてもよい。
【手続補正５】
【補正対象書類名】明細書
【補正対象項目名】００４０
【補正方法】変更
【補正の内容】
【００４０】
画素１１_11の場合、セレクトドライバ１４からセレクトラインＬs11にＨｉ（High；ハイ）レベルの信号が出力されると、トランジスタＴ１はオンし、トランジスタＴ３もオンする。
【手続補正６】
【補正対象書類名】明細書
【補正対象項目名】００４１
【補正方法】変更
【補正の内容】
【００４１】
セレクトラインＬs11にＬｏ（Low；ロー）レベルの信号が出力されると、トランジスタＴ１は、オフし、トランジスタＴ３もオフする。それとともに、トランジスタＴ１がオフすると、コンデンサＣ１に充電された電荷は保持される。
【手続補正７】
【補正対象書類名】明細書
【補正対象項目名】００４４
【補正方法】変更
【補正の内容】
【００４４】
各画素１１_11〜１１_m1のトランジスタＴ２のゲートは、セレクトラインＬs11に接続される。同様に、各画素１１_12〜１１_m2のトランジスタＴ２のゲートは、セレクトラインＬs12に、・・・各画素１１_1n〜１１_mnのトランジスタＴ２のゲートは、セレクトラインＬs1nに接続される。
【手続補正８】
【補正対象書類名】明細書
【補正対象項目名】００５５
【補正方法】変更
【補正の内容】
【００５５】
定電流回路１３２−１〜１３２−ｍは、上記検定電流となる定電流を供給するものである。ＡＤＣ１３３−１〜１３３−ｍは、それぞれ、スイッチ１３１−１〜１３１−ｍを介して、データラインＬd1〜Ｌdmに印加されたアナログの電圧ＶＥＬを測定するためのものであり、測定したアナログの電圧ＶＥＬをデジタルの電圧ＶＥＬに変換する。ＡＤＣ１３３−１〜１３３−ｍは、変換したデジタルの電圧ＶＥＬを補正回路１３４−１〜１３４−ｍに供給する。
【手続補正９】
【補正対象書類名】明細書
【補正対象項目名】００７０
【補正方法】変更
【補正の内容】
【００７０】
ＤＡＣ１３５−１〜１３５−ｍは、それぞれ、この書き込み電圧Ｖdを、データラインＬd1〜Ｌdmを介して、各画素１１_1j〜１１_mjのトランジスタＴ２の他端に印加することにより、トランジスタＴ２を介して、トランジスタＴ３から電流を引き込む。
【手続補正１０】
【補正対象書類名】明細書
【補正対象項目名】００７９
【補正方法】変更
【補正の内容】
【００７９】
電圧データＶdataの書き込みを行う場合、制御部１５は、電流がアノード回路１２から各画素１１_ijの有機ＥＬ素子１１１に流れず、データドライバ１３に流れるように、アノード回路１２とデータドライバ１３とセレクトドライバ１４とを制御する。
【手続補正１１】
【補正対象書類名】明細書
【補正対象項目名】００８０
【補正方法】変更
【補正の内容】
【００８０】
有機ＥＬ素子１１１を発光させる場合、制御部１５は、各画素１１_ijの各トランジスタＴ３のゲート電圧Ｖgsに基づいて、電流が有機ＥＬ素子１１１に供給されるように、アノード回路１２とデータドライバ１３とセレクトドライバ１４とを制御する。
【手続補正１２】
【補正対象書類名】明細書
【補正対象項目名】００８６
【補正方法】変更
【補正の内容】
【００８６】
また、画素１１_12〜１１_m2、・・・、１１_1n〜１１_mnの各トランジスタＴ２がオフすると、画素１１_12〜１１_m2、・・・、１１_1n〜１１_mnは、データラインＬd1〜Ｌdmから遮断される。
【手続補正１３】
【補正対象書類名】明細書
【補正対象項目名】００８９
【補正方法】変更
【補正の内容】
【００８９】
制御部１５は、それぞれ、データラインＬd1とデータドライバ１３の定電流回路１３２−１及びＡＤＣ１３３−１、・・・、データラインＬdmと定電流回路１３２−ｍ及びＡＤＣ１３３−ｍとが接続されるように、スイッチ１３１−１〜１３１−ｍを制御する。
【手続補正１４】
【補正対象書類名】明細書
【補正対象項目名】００９１
【補正方法】変更
【補正の内容】
【００９１】
このため、データラインＬd1と定電流回路１３２−１及びＡＤＣ１３３−１とが接続されて定電流回路１３２−１から定電流が供給されると、画素１１_11のトランジスタＴ３のソース電極がドレイン電極より高い電位となるため、トランジスタＴ３のドレイン・ソース間には電流は流れず、定電流回路１３２−１から供給される定電流は、データドライバ１３の定電流回路１３２−１から、データラインＬd1、各画素１１_11のトランジスタＴ２、有機ＥＬ素子１１１を経由して接地ラインへと流れる。ここで、定電流回路１３２−１から供給される定電流の電流値は、上記電流初期値Iel_0（検定電流）に等しい値に設定されている。
【手続補正１５】
【補正対象書類名】明細書
【補正対象項目名】００９２
【補正方法】変更
【補正の内容】
【００９２】
同様に、それぞれ、データラインＬd2と定電流回路１３２−２及びＡＤＣ１３３−２，・・・，データラインＬdmと定電流回路１３２−ｍ及びＡＤＣ１３３−ｍとが接続されると、定電流は、それぞれ、データドライバ１３の定電流回路１３２−１から、各画素１１_11〜１１_m1の有機ＥＬ素子１１１を経由して接地ラインへと流れる。
【手続補正１６】
【補正対象書類名】明細書
【補正対象項目名】００９３
【補正方法】変更
【補正の内容】
【００９３】
データドライバ１３のＡＤＣ１３３−１〜１３３−ｍは、それぞれ、画素１１_11〜１１_m1の各トランジスタＴ２、データラインＬd1〜Ｌdm、スイッチ１３１−１〜１３１−ｍを介して、トランジスタＴ２のドレインと有機ＥＬ素子１１１のアノードとの接続点の電圧を測定する。
【手続補正１７】
【補正対象書類名】明細書
【補正対象項目名】００９５
【補正方法】変更
【補正の内容】
【００９５】
尚、各画素１１_11〜１１_m1の各トランジスタＴ２のオン抵抗は、ゲート電圧Ｖgsが高いため、ほぼ無視できる程度の値になる。
【手続補正１８】
【補正対象書類名】明細書
【補正対象項目名】００９６
【補正方法】変更
【補正の内容】
【００９６】
ＡＤＣ１３３−１〜１３３−ｍは、それぞれ、アナログの電圧ＶＥＬをデジタルの電圧ＶＥＬに変換する。
【手続補正１９】
【補正対象書類名】明細書
【補正対象項目名】０１０１
【補正方法】変更
【補正の内容】
【０１０１】
各トランジスタＴ１，Ｔ２がオフすると、画素１１_11〜１１_m1、１１_13〜１１_m3、・・・、１１_1n〜１１_mnには電流が流れず、それぞれ、データラインＬd1〜Ｌdmから遮断される。
【手続補正２０】
【補正対象書類名】明細書
【補正対象項目名】０１０３
【補正方法】変更
【補正の内容】
【０１０３】
電流は、それぞれ、データドライバ１３の定電流回路１３２−１〜１３２−ｍから、データラインＬd1〜Ｌdm、各画素１１_12〜１１_m2のトランジスタＴ２を介して、有機ＥＬ素子１１１に流れる。
【手続補正２１】
【補正対象書類名】明細書
【補正対象項目名】０１０４
【補正方法】変更
【補正の内容】
【０１０４】
データドライバ１３のＡＤＣ１３３−１〜１３３−ｍは、それぞれ、画素１１_12〜１１_m2の各トランジスタＴ２、データラインＬd1〜Ｌdm、スイッチ１３１−１〜１３１−ｍを介して、有機ＥＬ素子１１１の電圧ＶＥＬを測定し、デジタルの電圧ＶＥＬに変換する。
【手続補正２２】
【補正対象書類名】明細書
【補正対象項目名】０１０７
【補正方法】変更
【補正の内容】
【０１０７】
次に、画像データに基づいて各画素１１_ijの有機ＥＬ素子１１１を表示駆動する際の動作について説明する。
【手続補正２３】
【補正対象書類名】明細書
【補正対象項目名】０１０９
【補正方法】変更
【補正の内容】
【０１０９】
制御部１５は、それぞれ、データラインＬd1〜Ｌdmと、データドライバ１３の定電流回路１３２−１〜１３２−ｍ及びＡＤＣ１３３−１〜１３３−ｍと、が遮断されるようにスイッチ１３１−１〜１３１−ｍを制御する。
【手続補正２４】
【補正対象書類名】明細書
【補正対象項目名】０１１２
【補正方法】変更
【補正の内容】
【０１１２】
各トランジスタＴ１，Ｔ２がオフすると、各トランジスタＴ３もオフし、画素１１_12〜１１_m2、・・・、１１_1n〜１１_mnには電流は流れず、それぞれ、データラインＬd1〜Ｌdmから遮断される。
【手続補正２５】
【補正対象書類名】明細書
【補正対象項目名】０１１４
【補正方法】変更
【補正の内容】
【０１１４】
補正回路１３４−１〜１３４−ｍのそれぞれの演算部１３９−１〜１３９−ｍは、メモリ１３８−１〜１３８−ｍから、画素１１_11〜１１_m1の発光効率ηを読み出す。
【手続補正２６】
【補正対象書類名】明細書
【補正対象項目名】０１１６
【補正方法】変更
【補正の内容】
【０１１６】
データドライバ１３のＤＡＣ１３５−１〜１３５−ｍは、それぞれ、演算部１３９−１〜１３９−ｍが求めた電圧データＶdataをアナログの負電圧の書き込み電圧Ｖdに変換する。
【手続補正２７】
【補正対象書類名】明細書
【補正対象項目名】０１１８
【補正方法】変更
【補正の内容】
【０１１８】
データラインＬd1〜Ｌdmと、ＤＡＣ１３５−１〜１３５−ｍと、それぞれ、が接続されると、ＤＡＣ１３５−１〜１３５−ｍは、それぞれ、負電圧の書き込み電圧ＶdをデータラインＬd1〜Ｌdmに印加する。
【手続補正２８】
【補正対象書類名】明細書
【補正対象項目名】０１２０
【補正方法】変更
【補正の内容】
【０１２０】
また、書き込み電圧Ｖdが負電圧であるため、電流は、アノード回路１２から、アノードラインＬa，画素１１_11〜１１_m1の各トランジスタＴ３，Ｔ２，データラインＬd1〜Ｌdmを介して、ＤＡＣ１３５−１〜１３５−ｍへと流れる。
【手続補正２９】
【補正対象書類名】明細書
【補正対象項目名】０１２８
【補正方法】変更
【補正の内容】
【０１２８】
補正回路１３４−１〜１３４−ｍのそれぞれの演算部１３９−１〜１３９−ｍは、メモリ１３８−１〜１３８−ｍから、画素１１_12〜１１_m2の発光効率ηを読み出して、供給された画像データの輝度が得られるように電流値を補正し、補正した電流値に基づいて電圧データＶdataを求める。
【手続補正３０】
【補正対象書類名】明細書
【補正対象項目名】０１３４
【補正方法】変更
【補正の内容】
【０１３４】
制御部１５は、継続して、それぞれ、データラインＬd1〜Ｌdmと、データドライバ１３の定電流回路１３２−１〜１３２−ｍ及びＡＤＣ１３２−１〜１３２−ｍと、が遮断されるようにスイッチ１３１−１〜１３１−ｍを制御する。
【手続補正３１】
【補正対象書類名】明細書
【補正対象項目名】０１３５
【補正方法】変更
【補正の内容】
【０１３５】
制御部１５は、それぞれ、データラインＬd1〜Ｌdmと、ＤＡＣ１３５−１〜１３５−ｍと、が遮断されるようにスイッチ１３６−１〜１３６−ｍを制御する。